(57)【特許請求の範囲】
【請求項１】
平坦な板面を有する平板部と前記平板部の周縁部から上方に立上がるように形成された立上り部をパネル上面に有するパネル本体部と、
前記立上り部よりも内側の前記平板部の上面に貼り付けられた表面材とを備え、
内部に空間を有する箱状の前記パネル本体部は、上面を形成する前記平板部を有する上板部材と、底面を形成する下板部材を有し、
前記上板部材と、前記下板部材のそれぞれの周縁部は、互いに重なり合うように折れ曲がった状態で結合されており、
前記立上り部は、前記上板部材と前記下板部材の結合部が、前記平板部の上面より上方に突出していることにより形成された
ことを特徴とするフロアパネル。
【請求項２】
前記表面材が、タイルであることを特徴とする請求項１に記載のフロアパネル。
【請求項３】
前記表面材が、タイルカーペットであることを特徴とする請求項１に記載のフロアパネル。
【請求項４】
前記立上り部の表面が、互いに隣合うフロアパネルとの間の隙間が目立たなくなるように暗色に着色されたことを特徴とする請求項１から３のいずれかに記載のフロアパネル。
【請求項５】
前記平板部の周縁部に、その上面から前記パネル本体部の内部の前記空間に連通する貫通孔が形成されたことを特徴とする請求項１から４のいずれかに記載のフロアパネル。
【請求項６】
前記パネル本体部の前記空間の内部に補強部材が設置されたことを特徴とする請求項１から５のいずれかに記載のフロアパネル。
【発明の詳細な説明】
【技術分野】
【０００１】
本発明は、オフィスやクリーンルーム等の部屋の床部に敷設されるフリーアクセスフロアの床面を形成するフロアパネルに関するものである。
【背景技術】
【０００２】
図２１から図２３は、従来技術に係るフリーアクセスフロア用のフロアパネル２を示す図である。このフロアパネル２は、不図示の支持脚により所定の高さで水平に支持された状態を保持し、オフィス等の部屋の床面を形成するように並べて敷設されることにより、このフロアパネル２と、その下方の下地床面との間の空間に配管や配線を通すことができる、フリーアクセスフロアの床面を形成するために用いられていた（例えば、特許文献１参照）。【０００３】
フロアパネル２は、図２１に示すように、パネル本体部３と、そのパネル本体部３のトップシート６の上面に貼り付けられた、トップシート６より少し小さ目の一枚のタイル７と、パネル本体部３の周縁部に固定された縁部材５（リム）を備えて構成されていた。【０００４】
パネル本体部３は、図２１に示すように、平板状のトップシート６と、略箱状に下方に凹んで形成されたボトムシート４を上下に組み合わせることにより構成されていた。ボトムシート４とトップシート６は共に鋼板材を用いて形成されていた。【０００５】
また、図２２及び図２３に示すように、ボトムシート４の各辺を形成する外周より水平方向内側には、その底面４ａからトップシート６側（図２３中上側）に所定の高さ凹んだ段差面４ｂが形成されていた。そして、その段差面４ｂには、その強度を向上させるために、トップシート６側に向かって突出する略半球状の補強形状部４ｃが複数形成されていた（図２２，図２３参照）。【０００６】
ボトムシート４は、その周縁部に形成されたフランジ部４ｄ（図２３参照）と、補強形状部４ｃの突出側先端部に形成された平坦部４ｅが、それぞれトップシート６に当接し、これらの当接部分にスポット溶接などの溶接をすることにより、トップシート６がボトムシート４に一体的に固定されるようになっていた。【０００７】
また、図２３に示すように、フランジ部４ｄがトップシート６に当接してスポット溶接されたボトムシート４と、トップシート６のそれぞれの周縁部分には、その長さ方向に垂直な断面形状が略コの字状の縁部材５（リム）が、トップシート６の周縁部分と、ボトムシート４のフランジ部４ｄのそれぞれの板厚を共に挟むように取り付けられていた。【０００８】
そして、トップシート６の上面における、その上面から上方に突出した縁部材５の上部より水平方向内側の部分には、塩化ビニル系のＰタイルや、ＨＰＬ（ハイプレッシャーラミネート）タイル等で、トップシート６より少し小さ目のタイル７が１枚貼り付けられていた。【０００９】
また、フランジ部４ｄがトップシート６に当接してスポット溶接されたボトムシート４と、トップシート６のそれぞれの外周部分は、縁部材５を取り付ける前に、２枚重ね合わされた状態で、プレス機による剪断加工（シアリング）により縁取り成形されていた。【００１０】
このように、トップシート６とボトムシート４の外周部分は、プレス機による剪断加工により成形されていたため、フロアパネル２の外周部分は低い寸法精度（例えば、±０．５ｍｍ以下）で成形されていた。【００１１】
そのため、フロアパネル２が、オフィス等の部屋の床面を形成するように複数並べて敷設された際には、フロアパネル２の外周部分の寸法精度のバラツキにより、互いに隣り合うフロアパネル２との間に若干の隙間が空いてしまう場合があった。【００１２】
このため、フロアパネル２の外周部分に取り付けられた縁部材５を、黒色に着色することにより、縁部材５の黒色と、互いに隣り合うフロアパネル２，２間の隙間の暗色を人が判別しにくくなり、フロアパネル２，２間に空いた隙間を目立たなくしていた。
【先行技術文献】
【特許文献】
【００１３】
【特許文献１】特開２０１０−０８４３４６号公報
【発明の概要】
【発明が解決しようとする課題】
【００１４】
前記従来技術のフロアパネル２においては、ボトムシート４のフランジ部４ｄと、トップシート６のそれぞれの周縁部分に、縁部材５を取り付ける工程が必要であったため、部品数及び組立工数が増えて製造コストが高額化するという問題があった。【００１５】
また、前記従来技術のフロアパネル２においては、トップシート６とボトムシート４をスポット溶接のより一体的に固定するようになっていたため、組立工数が増えて製造コストが高額化するという問題があった。【００１６】
そこで本発明は、上記問題点に鑑みて、部品数及び組立工数が増えて製造コストが高額化することを防止することができるフロアパネルを提供することを課題とするものである。
【課題を解決するための手段】
【００１７】
上記課題を解決するために、本発明によるフロアパネルは、
平坦な板面を有する平板部と前記平板部の周縁部から上方に立上がるように形成された立上り部をパネル上面に有するパネル本体部と、
前記立上り部よりも内側の前記平板部の上面に貼り付けられた表面材とを備え、
内部に空間を有する箱状の前記パネル本体部は、上面を形成する前記平板部を有する上板部材と、底面を形成する下板部材を有し、
前記上板部材と、前記下板部材のそれぞれの周縁部は、互いに重なり合うように折れ曲がった状態で結合されており、
前記立上り部は、前記上板部材と前記下板部材の結合部が、前記平板部の上面より上方に突出していることにより形成されたことを特徴とするものである。
【００１９】
また、本発明によるフロアパネルは、
前記表面材が、タイルであることを特徴とするものである。【００２０】
また、本発明によるフロアパネルは、
前記表面材が、タイルカーペットであることを特徴とするものである。【００２１】
また、本発明によるフロアパネルは、
前記立上り部の表面が、互いに隣合うフロアパネルとの間の隙間が目立たなくなるように暗色に着色されたことを特徴とするものである。【００２２】
また、本発明によるフロアパネルは、
前記平板部の周縁部に、その上面から前記パネル本体部の内部の前記空間に連通する貫通孔が形成されたことを特徴とするものである。【００２３】
また、本発明によるフロアパネルは、
前記パネル本体部の前記空間の内部に補強部材が設置されたことを特徴とするものである。
【発明の効果】
【００２４】
このような本発明のフロアパネルによれば、
平坦な板面を有する平板部と前記平板部の周縁部から上方に立上がるように形成された立上り部をパネル上面に有するパネル本体部と、
前記立上り部よりも内側の前記平板部の上面に貼り付けられた表面材とを備えたことにより、
部品数及び組立工数が増えて製造コストが高額化することを防止することができる。
【図面の簡単な説明】
【００２５】
【図１】本発明の第１〜第４の実施の形態に係るフロアパネル２０，３０，４０，５０の上面図である。
【図２】図１に示すフロアパネル２０の底面図である。
【図３】図１に示すフロアパネル２０の一部を省略して示す側面図である。
【図４】図１に示すフロアパネル２０のＡ−Ａ線矢視断面図である。
【図５】図４のフロアパネル２０における結合部２５の周辺を拡大して示す部分拡大図である。
【図６】本発明の第２の実施の形態に係る、図１に示すフロアパネル３０のＡ−Ａ線矢視断面図である。
【図７】図６のフロアパネル３０における結合部３５の周辺を拡大して示す部分拡大図である。
【図８】本発明の第３の実施の形態に係る、図１に示すフロアパネル４０のＡ−Ａ線矢視断面図である。
【図９】図８のフロアパネル４０における結合部４５の周辺を拡大して示す部分拡大図である。
【図１０】本発明の第４の実施の形態に係る、図１に示すフロアパネル５０のＡ−Ａ線矢視断面図である。
【図１１】図１０のフロアパネル５０における結合部５５の周辺を拡大して示す部分拡大図である。
【図１２】本発明の第５の実施の形態に係るフロアパネル６０の上面図である。
【図１３】図１２に示すフロアパネル６０のＢ−Ｂ線矢視断面図である。
【図１４】図１３のフロアパネル６０における結合部６５及び貫通孔６４ｊの周辺を拡大して示す部分拡大図である。
【図１５】本発明の第６，第７の実施の形態に係るフロアパネル７０，８０の上面図である。
【図１６】本発明の第６の実施の形態に係る、図１５に示すフロアパネル７０のＣ−Ｃ線矢視断面図である。
【図１７】図１６のフロアパネル７０における結合部７５の周辺を拡大して示す部分拡大図である。
【図１８】図１５に示すフロアパネル７０が敷設されたフリーアクセスフロア構造７２を示す概略平面図である。
【図１９】本発明の第７の実施の形態に係る、図１５に示すフロアパネル８０のＣ−Ｃ線矢視断面図である。
【図２０】図１９のフロアパネル８０における結合部８５の周辺を拡大して示す部分拡大図である。
【図２１】従来技術に係るフロアパネル２の一部を省略して示す側面図である。
【図２２】図２１に示すフロアパネル２の底面図である。
【図２３】図２２に示すフロアパネル２のＤ−Ｄ線矢視部分断面図である。
【図２４】従来技術に係るフリーアクセスフロア構造１０を示す概略平面図である。
【発明を実施するための形態】
【００２６】
以下、本発明に係るフロアパネルを実施するための形態について、図面に基づいて具体的に説明する。
図１から図５は、本発明の第１の実施の形態に係るフロアパネル２０について説明するために参照する図である。
【００２７】
本実施の形態に係るフロアパネル２０は、図１から図５に示すように、主に上面２４ｃが略正方形に形成された平板部２４ａを有する天板２４（上板部材）と、上面２４ｃに対応する底面２６ｃが略正方形に形成された底板２６（下板部材）が上下に組み合わされて、上面２４ｃにタイル２２（表面材）が貼り付けられた構成となっている。
【００２８】
すなわち、フロアパネル２０は、天板２４、底板２６、及び、後述する補強部材２３から構成された、略箱状（図３，４参照）のパネル本体部２１と、天板２４の上面２４ｃに貼り付けられたタイル２２とを備えている。
【００２９】
パネル本体部２１の天板２４は、例えば、ＳＧＣＣ等の鋼板材を用いて形成されており、底板２６も同様に鋼板材を用いて形成されているが、底板２６はその鋼板材の表面が黒色のカラー鋼板が用いられている。
【００３０】
フロアパネル２０の底板２６は、図４の右下部に示すように、その底板部２６ａの周縁部が、図中水平方向から上方に向かって略鉛直方向に折り曲げられた側板部２６ｂが形成されている。
【００３１】
このように、底板２６は、プレスで絞り加工することにより、側板部２６ｂの水平方向内側に内部空間を有する箱状に形成されている。
【００３２】
また、底板２６には、側板部２６ｂの図４中上端部から、パネル本体部２１の水平方向外側（図５中、右側方向）に向かって折り曲げられた周縁部２６ｄが、図５中略水平方向に伸びるように形成され、その周縁部２６ｄの同図中右端部から、同図中上方に向かって略鉛直方向に折り曲げられた立上部２６ｅが形成されている。
【００３３】
また、底板２６には、上記立上部２６ｅの上端部から、パネル本体部２１の水平方向内側（図５中、左側方向）に向かって折り曲げられた上板部２６ｆが、図５中略水平方向に伸びるように形成され、その上板部２６ｆの同図中左端部が、後述する天板２４の先端部２４ｆを包み込むように、図中下側に横Ｕ字状に折り曲げられたＵ字状部２６ｇが形成されている。
【００３４】
さらに、底板２６には、上記Ｕ字状部２６ｇにおける、上板部２６ｆ側とは反対側の端部から、パネル本体部２１の水平方向外側（図５中、右側）に伸びるように先端部２６ｈが形成され、その先端部２６ｈは、後述する天板２４の周縁部２４ｄ及び先端部２４ｆの間に上下方向から挟まれるように配置されている（図５参照）。
【００３５】
図５に示すように、フロアパネル２０の天板２４は板状に形成されており、その周縁部２４ｄが、底板２６の先端部２６ｈを包み込むように、図中上側に横Ｕ字状に折り曲げられたＵ字状部２４ｅが形成されている。
【００３６】
そして、上記Ｕ字状部２４ｅにおける、周縁部２４ｄ側とは反対側の端部から、同図中略水平方向に伸びるように先端部２４ｆが形成され、その先端部２４ｆは、底板２６の上板部２６ｆ及び先端部２６ｈの間に上下方向から挟まれるように配置されている（図５参照）。
【００３７】
このように、上下に組み合わされた天板２４と底板２６は、それぞれの周縁部同士を互いに重ね合わして、天板２４の上面２４ｃより上方に突出する（立上がる）ように折り曲げることにより、結合部２５（立上り部）において一体的に結合されている。
【００３８】
また、天板２４及び底板２６が、結合部２５において一体的に結合される（図４及び図５参照）ことにより、パネル本体部２１は、天板２４と、底板２６の底板部２６ａと側板部２６ｂに囲まれた内部空間２８を有する中空状に形成され、この内部空間２８内には、パネル本体部２１の強度を向上させるために、厚さを有する板状の補強部材２３が収納されて設けられている。
【００３９】
補強部材２３は、天板２４と底板２６の底板部２６ａの間に挟まれて、その側面が底板２６の側板部２６ｂに対して少し間隔を空けて沿うように設けられている。そして、この補強部材２３には、木材を小さな木片に砕いて乾燥させ、接着剤を加えて高温高圧の下で成形したパーティクルボードが用いられている。
【００４０】
そして、図４及び図５に示すように、結合部２５より水平方向内側（図４中左側）の、天板２４の平板部２４ａの上面２４ｃには、塩化ビニル系のＰタイルや、ＨＰＬ（ハイプレッシャーラミネート）タイル等の、平面形状が略正方形状の、天板２４より小さいタイル２２が、エポキシ接着剤等により貼り付けられている。すなわち、タイル２２の外周側面が、底板２６のＵ字状部２６ｇの図５中左側に配置されるように、タイル２２が天板２４の上面２４ｃに貼り付けられている。
【００４１】
また、結合部２５の上面（図５中、上板部２６ｆの上面）の高さ位置は、例えば、人が結合部２５につまずいたりすることがないように、タイル２２の上面と略同じ高さ位置となるように形成されている。
【００４２】
フロアパネル２０が、オフィス等の部屋の床面を形成するように複数並べて敷設された際には、フロアパネル２０の外周部分の寸法精度のバラツキにより、互いに隣り合うフロアパネル２０との間に若干の隙間が空いてしまう可能性がある。
【００４３】
しかしながら、前述のように、底板２６は表面全体が黒色に着色されたカラー鋼板を用いて形成されているため、パネル本体部２１の結合部２５の上面を形成する上板部２６ｆ（図５参照）の上面は黒色に着色されている。
【００４４】
そのため、パネル本体部２１の周縁部に形成された結合部２５の上面（上板部２６ｆの上面）の黒色と、互いに隣り合うフロアパネル２０，２０の結合部２５，２５間の隙間の暗色を人が判別しにくくなるため、フロアパネル２０，２０間の隙間を目立たなくすることができる。
【００４５】
このように、フロアパネル２０に結合部２５を形成することにより、フロアパネル２０，２０間の隙間を目立たなくしているため、前記従来技術のフロアパネル２のように、ボトムシート４のフランジ部４ｄと、トップシート６のそれぞれの周縁部分を共に挟むような、縁部材５を取り付ける工程が必要なくなっている。
【００４６】
そのため、フロアパネル２０は、前記従来技術のフロアパネル２を形成する場合に比べて、部品数及び組立工数が増えて製造コストが高額化することを防止することができる。
【００４７】
また、フロアパネル２０のパネル本体部２１は、天板２４と底板２６を組み合わせて、結合部２５において折り曲げ加工により互いに結合する構成となっており、スポット溶接をする必要がないため、前記従来技術のフロアパネル２を形成する場合に比べて製造コストが高額化することを防止することができる。
【００４８】
したがって、以上に説明したように、本実施の形態に係るフロアパネル２０によれば、部品数及び組立工数が増えて製造コストが高額化することを防止することができる。
【００４９】
図６及び図７は、本発明の第２の実施の形態に係るフロアパネル３０について説明するために参照する図である。
【００５０】
本実施の形態に係るフロアパネル３０は、その結合部３５（立上り部）における、天板３４（上板部材）及び底板３６（下板部材）のそれぞれの周縁部同士を互いに重ね合わして折り曲げて結合する際の結合形態が、前記第１の実施の形態に係るフロアパネル２０の結合部２５における結合形態と異なるものである。
【００５１】
フロアパネル３０の天板３４には、図７に示すように、その周縁部３４ｄが図中水平方向から上方に向かって略鉛直方向に折り曲げられた先端部３４ｆが形成されている。
【００５２】
フロアパネル３０の底板３６には、図６の右下部に示すように、その底板部３６ａの周縁部が、図中水平方向から上方に向かって略鉛直方向に折り曲げられた側板部３６ｂが形成されている。
【００５３】
また、底板３６には、側板部３６ｂの図７中上端部から、パネル本体部３１の水平方向外側（同図中右側）に向かって折り曲げられた周縁部３６ｄが同図中略水平方向に伸びるように形成され、その周縁部３６ｄの同図中右端部から、同図中上方に向かって略鉛直方向に折り曲げられた立上部３６ｅが形成されている。
【００５４】
さらに、底板３６には、立上部３６ｅの図７中上端部から、天板３４の先端部３４ｆを包み込むように、図中左側に逆Ｕ字状に折り曲げられたＵ字状部３６ｆが形成され、そのＵ字状部３６ｆにおける立上部３６ｅ側とは反対側の端部から、同図中略鉛直方向下方に伸びるように先端部３６ｇが形成されている。このように、天板３４の先端部３４ｆは、底板３６の立上部３６ｅ及び先端部３６ｇの間に図中左右方向から挟まれるように配置されている。
【００５５】
また、結合部３５の上端部（図７中、Ｕ字状部３６ｆの上端部）の高さ位置は、例えば、人が結合部３５につまずいたりすることがないように、タイル２２の上面と略同じとなるように形成されている。
【００５６】
このように、上下に組み合わされた天板３４と底板３６は、それぞれの周縁部同士を互いに重ね合わして、天板３４の平坦な平板部３４ａの上面３４ｃより上方に突出する（立上がる）ように折り曲げることにより、結合部３５において一体的に結合されている。
【００５７】
その他の構成は、前記第１の実施の形態に係るフロアパネル２０と同様であり、底板３６は、前記第１の実施の形態に係るフロアパネル２０の底板２６と同様に、その表面が黒色のカラー鋼板を用いて形成されている。
【００５８】
このような本実施の形態に係るフロアパネル３０によっても、前記第１の実施の形態に係るフロアパネル２０と同様の効果を得ることができる。
【００５９】
図８及び図９は、本発明の第３の実施の形態に係るフロアパネル４０について説明するために参照する図である。
【００６０】
本実施の形態に係るフロアパネル４０は、その結合部４５（立上り部）における、天板４４（上板部材）及び底板４６（下板部材）のそれぞれの周縁部同士を互いに重ね合わして折り曲げて結合する際の結合形態が、前記第１の実施の形態に係るフロアパネル２０の結合部２５における結合形態と異なるものである。
【００６１】
フロアパネル４０の底板４６には、図８の右下部に示すように、その底板部４６ａの周縁部が、同図中上方に向かって略垂直に折り曲げられた側板部４６ｂが形成され、その側板部４６ｂの上端部から、パネル本体部４１の水平方向外側（図９中、右側方向）に向かって所定の角度で傾斜する傾斜面を有する接続部４６ｄが形成されている。
【００６２】
また、底板４６には、その接続部４６ｄの図９中上端部から、同図中上方に向かって側板部４６ｂに対して略平行に伸びる立上部４６ｅが形成され、この立上部４６ｅの上端部から同図中右側に時計回り方向に円を描くように折り曲げ加工された、円弧部４６ｆが形成されている。
【００６３】
フロアパネル４０の天板４４には、図９に示すように、その周縁部４４ｄから同図中上方に向かって略垂直に折り曲げられた立上部４４ｅが形成されている。周縁部４４ｄと立上部４４ｅの間の隅部は、折れ曲がり易くするために、直角ではなく少し下方に凹むような湾曲状に形成されている。
【００６４】
また、天板４４には、立上部４４ｅの図９中上端部から、パネル本体部４１の水平方向外側（同図中右側）に向かって折り曲げられた上板部４４ｆが、図中略水平方向に伸びるように形成され、その上板部４４ｆの同図中右端部から同図中下方に向かって略垂直に折り曲げられた側板部４４ｇが形成されている。
【００６５】
さらに、天板４４には、側板部４４ｇの図９中下端部から、底板４６の円弧部４６ｆの外周面にその内周面が接触するように湾曲状に折り曲げられた湾曲部４４ｈが形成されている。
【００６６】
このように、図９に示すフロアパネル４０の結合部４５において、底板４６の円弧部４６ｆは、天板４４の立上部４４ｅ，上板部４４ｆ，側板部４４ｇ，湾曲部４４ｈにより包み込まれるように配置されている。
【００６７】
また、結合部４５の上面（図９中、上板部４４ｆの上面）の高さ位置は、例えば、人が結合部４５につまずいたりすることがないように、タイル２２の上面と略同じとなるように形成されている。
【００６８】
このように、上下に組み合わされた天板４４と底板４６は、それぞれの周縁部同士を互いに重ね合わして、天板４４の平坦な平板部４４ａの上面４４ｃより上方に突出する（立上がる）ように折り曲げることにより、結合部４５において一体的に結合されている。
【００６９】
また、本実施の形態に係るフロアパネル４０は、表面が黒色のカラー鋼板を用いて天板４４が形成されている点において、前記第１の実施の形態に係るフロアパネル２０と異なっている。その他の構成は、前記第１の実施の形態に係るフロアパネル２０と同様である。
【００７０】
すなわち、前記第１の実施の形態に係るフロアパネル２０においては、天板２４及び底板２６の内、底板２６のみが表面が黒色のカラー鋼板が用いて形成されていたが、本実施の形態に係るフロアパネル４０においては、天板４４及び底板４６の内、天板４４のみが表面が黒色のカラー鋼板を用いて形成されている。
【００７１】
そして、天板４４は表面全体が黒色に着色されたカラー鋼板を用いて形成されているため、パネル本体部４１の結合部４５の上面（上板部４４ｆの上面）は、黒色に着色されている。
【００７２】
そのため、パネル本体部４１の周縁部に形成された結合部４５の上面（上板部４４ｆの上面）の黒色と、互いに隣り合うフロアパネル４０，４０の結合部４５，４５間の隙間の暗色を人が判別しにくくなるため、フロアパネル４０，４０間の隙間を目立たなくすることができる。
【００７３】
このような本実施の形態に係るフロアパネル４０によっても、前記第１の実施の形態に係るフロアパネル２０と同様の効果を得ることができる。
【００７４】
図１０及び図１１は、本発明の第４の実施の形態に係るフロアパネル５０について説明するために参照する図である。
【００７５】
本実施の形態に係るフロアパネル５０は、その結合部５５（立上り部）における、天板５４（上板部材）及び底板５６（下板部材）のそれぞれの周縁部同士を互いに重ね合わして折り曲げて結合する際の結合形態が、前記第１の実施の形態に係るフロアパネル２０の結合部２５における結合形態と異なるものである。
【００７６】
フロアパネル５０の天板５４には、図１１に示すように、その周縁部５４ｄから、図中上側に横Ｕ字状に折り曲げられたＵ字状部５４ｅが形成され、そのＵ字状部５４ｅにおける周縁部５４ｄ側とは反対側の端部から、パネル本体部５１の水平方向内側（図１１中、左側）に向かって水平方向に伸びるように先端部５４ｆが形成されている。
【００７７】
また、フロアパネル５０の底板５６には、図１０の右下部に示すように、その底板部５６ａの周縁部が、同図中上方に向かって略垂直に折り曲げられた側板部５６ｂが形成され、その側板部５６ｂの上端部から、パネル本体部５１の水平方向外側（図１１中、右側）に向かって折り曲げられた周縁部５６ｄが形成されている。
【００７８】
また、底板５６には、周縁部５６ｄの図１１中右端部から、天板５４のＵ字状部５４ｅの外周面にその内周面が接触するように、同図中上側に横Ｕ字状に折り曲げられたＵ字状部５６ｅが形成されている。
【００７９】
そして、上記Ｕ字状部５６ｅにおける周縁部５６ｄ側とは反対側の端部から、天板５４の先端部５４ｆの上面にその下面が接触して、パネル本体部５１の水平方向内側（図１１中、左側方向）に向かって水平方向に伸びるように先端部５６ｆが形成されている。
【００８０】
このように、フロアパネル５０の結合部５５において、フロアパネル５０の天板５４の周縁部５４ｄ、Ｕ字状部５４ｅ、先端部５４ｆが、底板５６の周縁部５６ｄ、Ｕ字状部５６ｅ、先端部５６ｆにより包み込まれるように配置されている。
【００８１】
また、結合部５５の上面（図１１中、先端部５６ｆの上面）の高さ位置は、例えば、人が結合部５５につまずいたりすることがないように、タイル２２の上面と略同じとなるように形成されている。
【００８２】
このように、上下に組み合わされた天板５４と底板５６は、それぞれの周縁部同士を互いに重ね合わして、天板５４の平坦な平板部５４ａの上面５４ｃより上方に突出する（立上がる）ように折り曲げることにより、結合部５５において一体的に結合されている。
【００８３】
その他の構成は、前記第１の実施の形態に係るフロアパネル２０と同様であり、底板５６は、前記第１の実施の形態に係るフロアパネル２０の底板２６と同様に、その表面が黒色のカラー鋼板を用いて形成されている。
【００８４】
このような本実施の形態に係るフロアパネル５０によっても、前記第１の実施の形態に係るフロアパネル２０と同様の効果を得ることができる。
【００８５】
図１２から図１４は、本発明の第５の実施の形態に係るフロアパネル６０について説明するために参照する図である。
【００８６】
本実施の形態に係るフロアパネル６０は、図１２から図１４に示すように、天板６４（上板部材）に、その平坦な平板部６４ａの上面６４ｃから、補強部材２３の側面と、底板６６（下板部材）の側板部６６ｂの内側面（図１４中、左側の面）との間の内部空間６８に連通するように貫通する貫通孔６４ｊが、フロアパネル６０の周縁部に沿うように所定の間隔を空けて複数形成されている点において、前記第１の実施の形態に係るフロアパネル２０と異なるものである。
【００８７】
本実施の形態に係るフロアパネル６０において、例えば、粘性を有するエポキシ接着剤６７（図１４参照）を天板６４の上面６４ｃの全面に塗布してから、結合部６５（立上り部）より水平方向内側（図１４中左側）の、天板６４の平板部６４ａの上面６４ｃにタイル２２を貼り付けている。
【００８８】
そして、天板６４の上面６４ｃに、タイル２２を貼り付ける際には、接着不良を防止するために、タイル２２の上面にロールプレス機のローラーを転がして、タイル２２を天板６４の上面６４ｃに圧着して貼り付けている。
【００８９】
そのため、フロアパネル６０に貫通孔６４ｊが形成されていない場合には、タイル２２の上面にロールプレス機のローラーを転がして、タイル２２を天板６４の上面６４ｃに圧着する際に、粘性を有するエポキシ接着剤６７がフロアパネル６０の周縁部に押し寄せられて、タイル２２と結合部６５との間からフロアパネル６０の外側にはみ出してしまう心配があった。
【００９０】
本実施の形態に係るフロアパネル６０においては、天板６４を貫通する貫通孔６４ｊが、フロアパネル６０の周縁部に沿って間隔を空けて複数形成されているため、ロールプレス機によりフロアパネル６０の周縁部に押し寄せられたエポキシ接着剤６７は、フロアパネル６０の外側にはみ出すことなく、貫通孔６４ｊを通って補強部材２３の側面と側板部６６ｂの内側面（図１４中、左側の面）の間の内部空間６８に逃がされるようになっている。
【００９１】
このため、本実施の形態に係るフロアパネル６０は、天板６４を貫通する貫通孔６４ｊが複数形成されることにより、タイル２２を天板６４の上面６４ｃに、エポキシ接着剤６７を用いて貼り付ける際に、フロアパネル６０の外側にエポキシ接着剤６７がはみ出すことを防止することができる。
【００９２】
その他の構成は、前記第１の実施の形態に係るフロアパネル２０と同様である
【００９３】
このような本実施の形態に係るフロアパネル６０によっても、前記第１の実施の形態に係るフロアパネル２０と同様の効果を得ることができる。
【００９４】
図１５から図１８は、本発明の第６の実施の形態に係るフロアパネル７０について説明するために参照する図である。
【００９５】
本実施の形態に係るフロアパネル７０は、図１５から図１７に示すように、天板７４と底板７６（下板部材）との結合部７５（立上り部）より水平方向内側（図１６中左側）の、天板７４（上板部材）の平坦な平板部７４ａの上面７４ｃに、平面形状が略正方形状のタイルカーペット７７（表面材）が貼り付けられている点において、前記第２の実施の形態に係るフロアパネル３０（図６参照）と異なるものである。
【００９６】
すなわち、前記第２の実施の形態に係るフロアパネル３０においては、結合部３５より水平方向内側（図６中左側）の、天板３４の平板部３４ａの上面３４ｃには、塩化ビニル系のＰタイルや、ＨＰＬ（ハイプレッシャーラミネート）タイル等の、平面形状が略正方形状のタイル２２が１枚貼り付けられていたのに対し、本実施の形態に係るフロアパネル７０の天板７４の上面７４ｃには、タイルカーペット７７が１枚貼り付けられている。
【００９７】
タイルカーペット７７は、図１７に示すように、多数本の繊維状のループパイル７７ｃにより構成されたパイル層７７ａと、そのループパイル７７ｃの基部を保持するバッキング層７７ｂとで構成される２層構造になっている。このようなタイルカーペット７７のバッキング層７７ｂのパイル層７７ａと反対側の面が、天板７４の上面７４ｃに貼り付けられている。
【００９８】
また、本実施の形態に係るフロアパネル７０は、例えば、人が結合部７５につまずいたりすることがないように、結合部７５の上端部７６ｋ（図１７参照）の高さ位置が、タイルカーペット７７の下側に配置されるバッキング層７７ｂの上面よりも高く、バッキング層７７ｂの上側に配置されるパイル層７７ａのループパイル７７ｃの上端部７７ｄ（図１７参照）よりも低くなるように形成されている。
【００９９】
また、タイルカーペット７７の厚さ寸法（例えば、略６．５ミリメートル）は、前記第２の実施の形態に係るフロアパネル３０のタイル２２の厚さ寸法（例えば、略１．５〜２．０ミリメートル）よりも厚く形成されている。
【０１００】
そのため、本実施の形態に係るフロアパネル７０は、結合部７５の上端部７６ｋ（図１７参照）の高さ位置が、前記第２の実施の形態に係るフロアパネル３０の結合部３５の上端部（図７中、Ｕ字状部３６ｆの上端部）の高さ位置よりも、高くなるように形成されている点において、前記第２の実施の形態に係るフロアパネル３０と異なるものである。
【０１０１】
その他の構成は、前記第２の実施の形態に係るフロアパネル３０と同様であり、底板７６は、前記第２の実施の形態に係るフロアパネル３０の底板３６と同様に、その表面が黒色のカラー鋼板を用いて形成されている。
【０１０２】
図２４に示す従来のフリーアクセスフロア構造１０においては、前記従来のフロアパネル２に用いられていたパネル本体部３（図２３参照）と同様のパネル部材８が、部屋の床面を形成するように複数並べて敷設され、そのパネル部材８の上面に、パネル部材８の上面と同じ大きさのタイルカーペット１２が、パネル部材８の略四辺形の平面形状に対して、縦横両方向にずらして配置されていた。
【０１０３】
すなわち、１つのパネル部材８の上面に対して、１枚のタイルカーペット１２をエポキシ接着剤等により貼り付けて一体化するのではなく、図２４に示すように、１つのパネル部材８の上面に対して、パネル部材８間の隙間（目地）が隠れて見えないように、４枚のタイルカーペット１２を縦横両方向にずらして配置していた。
【０１０４】
そのため、パネル部材８とタイルカーペット１２を一体的に取り扱うことができず、パネル部材８を取り扱う際の作業性が良くないという問題があった。例えば、図２４のように複数並べて敷設されたパネル部材８の内の１つを取り外す場合には、少なくとも４枚のタイルカーペット１２を取り外してから、１つのパネル部材８を取り外さなくてはならなかった。
【０１０５】
一方、本実施の形態に係るフロアパネル７０は、図１６に示すように、天板７４の上面７４ｃより上方に立ち上がるように結合部７５が形成され、結合部７５より水平方向内側（同図中左側）の、天板７４の平板部７４ａの上面７４ｃに、タイルカーペット７７がエポキシ接着剤等により貼り付けられている。
【０１０６】
また、底板７６は表面全体が黒色に着色されたカラー鋼板を用いて形成されているため、パネル本体部７１の結合部７５の上面は黒色に着色されている。そのため、パネル本体部７１の周縁部に形成された結合部７５の上面の黒色と、互いに隣り合うフロアパネル７０，７０の結合部７５，７５間の隙間の暗色を人が判別しにくくなり、フロアパネル７０，７０間の隙間が目立たなくなっている。
【０１０７】
このように、フロアパネル７０においては、結合部７５を黒色に着色することにより、フロアパネル７０間の隙間を目立たなくしているため、フロアパネル７０間の隙間を隠すために、１つのパネル本体部７１の上面７４ｃに対して、複数のタイルカーペット７７をずらして配置する必要はなく、１つのパネル本体部７１の上面７４ｃに対して、１枚のタイルカーペット７７を貼り付けて一体化している。
【０１０８】
そして、フロアパネル７０においては、１つのパネル本体部７１の上面７４ｃに対して、１枚のタイルカーペット７７を貼り付けて一体化しているため、パネル本体部７１とタイルカーペット７７を一体的に取り扱うことが可能となり、フロアパネル７０を取り扱う際の作業性を向上させることができる。
【０１０９】
そのため、例えば、部屋の床面を形成するようにフロアパネル７０が複数並べて敷設された、図１８のフリーアクセスフロア構造７２において、１つのフロアパネル７０を取り外す場合には、パネル本体部７１とタイルカーペット７７を一体的に取り外すことができる。
【０１１０】
このような本実施の形態に係るフロアパネル７０によっても、前記第１の実施の形態に係るフロアパネル２０と同様の効果を得ることができる。
【０１１１】
また、本実施の形態に係るフロアパネル７０においては、パネル本体部７１とタイルカーペット７７を一体的に取り扱うことが可能となるため、フロアパネル７０を取り扱う際の作業性を向上させることができる。
【０１１２】
図１９及び図２０は、本発明の第７の実施の形態に係るフロアパネル８０について説明するために参照する図である。
【０１１３】
本実施の形態に係るフロアパネル８０は、図１９及び図２０に示すように、天板８４と底板８６（下板部材）との結合部８５（立上り部）より水平方向内側（図１９中左側）の、天板８４（上板部材）の平坦な平板部８４ａの上面８４ｃに、平面形状が略正方形状のタイルカーペット７７が貼り付けられている点において、前記第３の実施の形態に係るフロアパネル４０と異なるものである。
【０１１４】
すなわち、前記第３の実施の形態に係るフロアパネル４０においては、結合部４５より水平方向内側（図８中左側）の、天板４４の平板部４４ａの上面４４ｃには、塩化ビニル系のＰタイルや、ＨＰＬ（ハイプレッシャーラミネート）タイル等の、平面形状が略正方形状のタイル２２が貼り付けられていたのに対し、本実施の形態に係るフロアパネル８０の天板８４の上面８４ｃには、タイルカーペット７７が貼り付けられている。
【０１１５】
タイルカーペット７７は、図２０に示すように、多数本の繊維状のループパイル７７ｃにより構成されたパイル層７７ａと、そのループパイル７７ｃの基部を保持するバッキング層７７ｂとで構成される２層構造になっている。このようなタイルカーペット７７のバッキング層７７ｂのパイル層７７ａと反対側の面が、天板８４の上面８４ｃに貼り付けられている。
【０１１６】
また、本実施の形態に係るフロアパネル８０は、例えば、人が結合部８５につまずいたりすることがないように、結合部８５の上板部８４ｆの上面（図２０参照）の高さ位置が、タイルカーペット７７の下側に配置されるバッキング層７７ｂの上面よりも高く、タイルカーペット７７の上側に配置されるパイル層７７ａのループパイル７７ｃの上端部７７ｄ（図２０参照）よりも低くなるように形成されている。
【０１１７】
また、タイルカーペット７７の厚さ寸法（例えば、略６．５ミリメートル）は、前記第３の実施の形態に係るフロアパネル４０のタイル２２の厚さ寸法（例えば、略１．５〜２．０ミリメートル）よりも厚く形成されている。
【０１１８】
そのため、本実施の形態に係るフロアパネル８０は、結合部８５の上面（図２０中、上板部８４ｆの上面）の高さ位置が、前記第３の実施の形態に係るフロアパネル４０の結合部４５の上面（図９中、上板部４４ｆの上面）の高さ位置よりも、高くなるように形成されている点において、前記第３の実施の形態に係るフロアパネル４０と異なるものである。
【０１１９】
その他の構成は、前記第３の実施の形態に係るフロアパネル４０と同様であり、天板８４は、前記第３の実施の形態に係るフロアパネル４０の天板４４と同様に、その表面が黒色のカラー鋼板を用いて形成されている。
【０１２０】
また、本実施の形態に係るフロアパネル８０においては、前記第６の実施の形態に係るフロアパネル７０と同様に、１つのパネル本体部８１の上面８４ｃに対して、１枚のタイルカーペット７７を貼り付けて一体化しているため、パネル本体部８１とタイルカーペット７７を一体的に取り扱うことが可能となり、フロアパネル８０を取り扱う際の作業性を向上させることができる。
【０１２１】
このような本実施の形態に係るフロアパネル８０によっても、前記第１の実施の形態に係るフロアパネル２０と同様の効果を得ることができる。
【０１２２】
なお、本発明は、前記実施の形態にのみ限定されるものではなく、本発明の目的を達成することができる範囲内であれば、フロアパネルの種々の変更が可能である。
【０１２３】
例えば、前記第１から第７の実施の形態に係るフロアパネル２０，３０，４０，５０，６０，７０，８０において、それぞれ天板（上板部材）２４，３４，４４，５４，６４，７４，８４と、底板（下板部材）２６，３６，４６，５６，６６，７６，８６が、各種の形態の折り曲げ加工により互いに結合部２５，３５，４５，５５，６５，７５，８５において結合されていたが、フロアパネル２０，３０，４０，５０，６０，７０，８０の周縁部において、上面２４ｃ，３４ｃ，４４ｃ，５４ｃ，６４ｃ，７４ｃ，８４ｃから上方に突出する（立上がる）ように結合されていれば、他の形態の折り曲げ方法で互いに結合されていてもよい。
【０１２４】
また、前記第１から第５の実施の形態に係るフロアパネル２０，３０，４０，５０，６０において、タイル２２に塩化ビニル系のＰタイルや、ＨＰＬ（ハイプレッシャーラミネート）タイルが用いられていたが、これらの硬質系のタイルに限定される必要はなく、例えば、塩化ビニルシート等の軟質系のシートを用いてもよい。
【０１２５】
また、前記第５の実施の形態に係るフロアパネル６０において、天板６４の上面６４ｃから、補強部材２３の側面と側板部６６ｂの内側面（図１４中、左側の面）の間の内部空間６８に連通するように貫通する貫通孔６４ｊが複数形成されていたが、前記第２〜第４，第６，第７の実施の形態に係るフロアパネル３０，４０，５０，７０，８０に、フロアパネル６０の貫通孔６４ｊと同様な貫通孔が複数形成されていてもよい。
【０１２６】
また、前記第１，第２，第４，第５，第６の実施の形態に係るフロアパネル２０，３０，５０，６０，７０においては、底板２６，３６，５６，６６，７６に黒色のカラー鋼板が用いられ、前記第３，第８の実施の形態に係るフロアパネル４０，８０においては、天板４４，８４に黒色のカラー鋼板が用いられていたが、黒色に限定される必要はなく、互いに隣り合うフロアパネル間の隙間を目立たなくすることができる暗色であれば、濃紺等の他の色のカラー鋼板を用いてもよい。
【０１２７】
また、前記第１から第７の実施の形態に係るフロアパネル２０，３０，５０，６０，７０，４０，８０において、それぞれ底板２６，３６，５６，６６，７６、及び天板４４，８４に黒色のカラー鋼板を用いていたが、黒色のカラー鋼板を用いず、折り曲げ加工によりパネル本体部２１，３１，４１，５１，６１，７１，８１を作成した後に、結合部２５，３５，４５，５５，６５，７５，８５の上面を黒色に着色してもよい。
【０１２８】
また、前記第６及び第７の実施の形態に係るフロアパネル７０，８０において、天板７４，８４の上面７４ｃ，８４ｃには、表面にループパイル７７ｃが形成されたタイルカーペット７７が１枚貼り付けられていたが、このようなタイルカーペット７７に限定されることはなく、他の種類のタイルカーペットが貼り付けられていてもよい。
【０１２９】
また、前記第１から第７の実施の形態に係るフロアパネル２０，３０，４０，５０，６０，７０，８０において、補強部材２３にパーティクルボードが用いられていたが、補強部材２３のような形状に成形することができる板材であれば、パーティクルボードに限定される必要はなく、例えば、ケイ酸カルシウム板、硫酸カルシウム板、セメント板等の窯業系の板材等が用いられていてもよい。
【符号の説明】
【０１３０】
２  フロアパネル
３  パネル本体部
４  ボトムシート
４ａ  底面
４ｂ  段差面
４ｃ  補強形状部
４ｄ  フランジ部
４ｅ  平坦部
５  縁部材
６  トップシート
７  タイル
８  パネル部材
１０  フリーアクセスフロア構造
１２  タイルカーペット
２０  フロアパネル
２１  パネル本体部
２２  タイル
２３  補強部材
２４  天板
２４ａ  平板部
２４ｃ  上面
２４ｄ  周縁部
２４ｅ  Ｕ字状部
２４ｆ  先端部
２５  結合部
２６  底板
２６ａ  底板部
２６ｂ  側板部
２６ｃ  底面
２６ｄ  周縁部
２６ｅ  立上部
２６ｆ  上板部
２６ｇ  Ｕ字状部
２６ｈ  先端部
２８  内部空間
３０  フロアパネル
３１  パネル本体部
３４  天板
３４ａ  平板部
３４ｃ  上面
３４ｄ  周縁部
３４ｆ  先端部
３５  結合部
３６  底板
３６ａ  底板部
３６ｂ  側板部
３６ｃ  底面
３６ｄ  周縁部
３６ｅ  立上部
３６ｆ  Ｕ字状部
３６ｇ  先端部
３８  内部空間
４０  フロアパネル
４１  パネル本体部
４４  天板
４４ａ  平板部
４４ｃ  上面
４４ｄ  周縁部
４４ｅ  立上部
４４ｆ  上板部
４４ｇ  側板部
４４ｈ  湾曲部
４５  結合部
４６  底板
４６ａ  底板部
４６ｂ  側板部
４６ｃ  底面
４６ｄ  接続部
４６ｅ  立上部
４６ｆ  円弧部
４８  内部空間
５０  フロアパネル
５１  パネル本体部
５４  天板
５４ａ  平板部
５４ｃ  上面
５４ｄ  周縁部
５４ｅ  Ｕ字状部
５４ｆ  先端部
５５  結合部
５６  底板
５６ａ  底板部
５６ｂ  側板部
５６ｃ  底面
５６ｄ  周縁部
５６ｅ  Ｕ字状部
５６ｆ  先端部
５８  内部空間
６０  フロアパネル
６１  パネル本体部
６４  天板
６４ａ  平板部
６４ｃ  上面
６４ｊ  貫通孔
６５  結合部
６６  底板
６６ａ  底板部
６６ｂ  側板部
６６ｃ  底面
６７  エポキシ接着剤
６８  内部空間
７０  フロアパネル
７１  パネル本体部
７２  フリーアクセスフロア構造
７４  天板
７４ａ  平板部
７４ｃ  上面
７５  結合部
７６  底板
７６ａ  底板部
７６ｂ  側板部
７６ｃ  底面
７６ｋ  上端部
７７  タイルカーペット
７７ａ  パイル層
７７ｂ  バッキング層
７７ｃ  ループパイル
７７ｄ  上端部
７８  内部空間
８０  フロアパネル
８１  パネル本体部
８４  天板
８４ａ  平板部
８４ｃ  上面
８４ｆ  上板部
８５  結合部
８６  底板
８６ａ  底板部
８６ｂ  側板部
８６ｃ  底面
８８  内部空間
【要約】
平坦な板面を有する平板部２４ａと平板部２４ａの周縁部から上方に立上がるように形成された立上り部２５をパネル上面に有するパネル本体部２１と、立上り部２５よりも内側の平板部２４ａの上面２４ｃに貼り付けられた表面材２２とを備えた。【図１】
0005936713.tif 000002
【図２】
0005936713.tif 000003
【図３】
0005936713.tif 000004
【図４】
0005936713.tif 000005
【図５】
0005936713.tif 000006
【図６】
0005936713.tif 000007
【図７】
0005936713.tif 000008
【図８】
0005936713.tif 000009
【図９】
0005936713.tif 000010
【図１０】
0005936713.tif 000011
【図１１】
0005936713.tif 000012
【図１２】
0005936713.tif 000013
【図１３】
0005936713.tif 000014
【図１４】
0005936713.tif 000015
【図１５】
0005936713.tif 000016
【図１６】
0005936713.tif 000017
【図１７】
0005936713.tif 000018
【図１８】
0005936713.tif 000019
【図１９】
0005936713.tif 000020
【図２０】
0005936713.tif 000021
【図２１】
0005936713.tif 000022
【図２２】
0005936713.tif 000023
【図２３】
0005936713.tif 000024
【図２４】
0005936713.tif 000025